(57)【特許請求の範囲】
【請求項１】
像保持体と、
前記像保持体を露光する露光装置と、
前記像保持体を露光する露光位置と前記像保持体から離間した退避位置との間で装置本体に対して移動するように前記露光装置を保持する保持部材と、
前記装置本体に回転軸を有し前記装置本体の開口部を開閉する開閉部材と、
前記開閉部材の開閉移動に伴って前記保持部材を介して前記露光装置を前記露光位置と前記退避位置との間で移動させる移動部材と、
前記保持部材の移動を案内する案内面と前記露光位置で前記保持部材を保持する保持部が形成された案内部材と、を備え、
前記移動部材が、
一端が前記開閉部材に回転可能に支持された第１リンク部材と、
一端が前記第１リンク部材の他端と移動可能に連結され前記保持部材に突出して設けられ前記案内部材に案内されて移動する被案内軸に接触して前記保持部材を移動させる当接部が形成された第２リンク部材と、からなり、
前記開閉部材が閉状態のとき、前記当接部と前記被案内軸とを非接触状態とした、
ことを特徴とする画像形成装置。
【請求項２】
前記当接部は、前記開閉部材を閉じるときに前記被案内軸に当接して、前記保持部材を前記退避位置から前記露光位置へ移動させる第１の移動方向に押圧する第１当接部と、
前記開閉部材を開くときに前記被案内軸に当接して、前記保持部材を前記第１の移動方向とは逆方向に押圧する第２当接部と、を有する、
ことを特徴とする請求項１に記載の画像形成装置。
【請求項３】
前記第２当接部は、前記第１の移動方向に対して傾斜して形成された斜面部を有し、前記第２リンク部材が前記第１の移動方向とは逆方向に移動するときに前記斜面部が前記被案内軸に接触して前記被案内軸を前記案内部材の前記保持部から移動させる、
ことを特徴とする請求項２に記載の画像形成装置。
【請求項４】
前記被案内軸を第２リンク部材の前記第１当接部から離れさせ前記案内部材の前記保持部へ移動させるように付勢する付勢部材を更に備えた、
ことを特徴とする請求項２または３に記載の画像形成装置。
【請求項５】
前記保持部材は、前記第１の移動方向と交差する両側面に前記保持部材の移動軌跡に倣った案内ガイドを有する、
ことを特徴とする請求項２ないし４のいずれか１項に記載の画像形成装置。
【請求項６】
前記保持部材は、前記露光位置で前記露光装置を前記像保持体に向けて押圧する押圧部材を有する、
ことを特徴とする請求項１ないし５のいずれか１項に記載の画像形成装置。
【請求項７】
前記像保持体が、前記開閉部材により開閉される装置本体の前記開口部から装置本体に対して着脱される、
ことを特徴とする請求項１ないし６のいずれか１項に記載の画像形成装置。
【発明の詳細な説明】
【技術分野】
【０００１】
本発明は、画像形成装置に関する。
【背景技術】
【０００２】
感光体を配置し、記録媒体を所定の方向に搬送する装置本体と、感光体の近傍に位置決めされる露光ヘッドを保持する開閉カバーとを有し、開閉カバーの開閉動作における露光ヘッドの軌跡が、所定の位置より感光体の近傍に露光ヘッドを位置決めする際に略直線となり、且つ所定の位置より感光体から離間する方向に露光ヘッドを移動する際には略円弧となるようにした電子写真記録装置が知られている（特許文献１）。
【０００３】
複数の感光ドラムと、複数の感光ドラムをそれぞれ露光して静電潜像を形成する複数の露光部材と、感光ドラムの軸方向に対向する一対の側壁を有し、一対の側壁の間において複数の感光ドラムを支持する感光ドラム支持体と、を備え、感光ドラム支持体が、装置本体内に収納された収納位置と、収納位置から装置本体の開口部を通して装置本体外へ移動した移動位置とに移動可能な画像形成装置であって、複数の露光部材は、感光ドラムに接近した露光位置と、感光ドラムから退避して係止部で係止される退避位置とに移動可能となるように感光ドラム支持体に設けられ、かつ、露光位置および退避位置のいずれの位置においても、感光ドラム支持体内に収容され、感光ドラム支持体には、露光部材の被作用部に当接して、露光部材を露光位置または退避位置に移動させる作用部材が移動可能に設けられている画像形成装置も知られている（特許文献２）。
【先行技術文献】
【特許文献】
【０００４】
【特許文献１】特開２００３−１１２４４６号公報
【特許文献２】特開２０１２−１４５８８２号公報
【発明の概要】
【発明が解決しようとする課題】
【０００５】
本発明は、開閉部材の回転移動に伴って露光装置部材を露光位置と退避位置との間で移動させる移動部材を備えない場合と比較して、露光装置を安定して位置決めすることができる画像形成装置を提供することを目的とする。
【課題を解決するための手段】
【０００６】
前記課題を解決するために、請求項１記載の画像形成装置は、
像保持体と、
前記像保持体を露光する露光装置と、
前記像保持体を露光する露光位置と前記像保持体から離間した退避位置との間で装置本体に対して移動するように前記露光装置を保持する保持部材と、
前記装置本体に回転軸を有し前記装置本体の開口部を開閉する開閉部材と、
前記開閉部材の開閉移動に伴って前記保持部材を介して前記露光装置を前記露光位置と前記退避位置との間で移動させる移動部材と、
前記保持部材の移動を案内する案内面と前記露光位置で前記保持部材を保持する保持部が形成された案内部材と、を備え、
前記移動部材が、
一端が前記開閉部材に回転可能に支持された第１リンク部材と、
一端が前記第１リンク部材の他端と移動可能に連結され前記保持部材に突出して設けられ前記案内部材に案内されて移動する被案内軸に接触して前記保持部材を移動させる当接部が形成された第２リンク部材と、からなり、
前記開閉部材が閉状態のとき、前記当接部と前記被案内軸とを非接触状態とした、
ことを特徴とする。
【０００８】
請求項２記載の発明は、請求項１に記載の画像形成装置において、
前記当接部は、前記開閉部材を閉じるときに前記被案内軸に当接して、前記保持部材を前記退避位置から前記露光位置へ移動させる第１の移動方向に押圧する第１当接部と、
前記開閉部材を開くときに前記被案内軸に当接して、前記保持部材を前記第１の移動方向とは逆方向に押圧する第２当接部と、を有する、
ことを特徴とする。
【０００９】
請求項３記載の発明は、請求項２に記載の画像形成装置において、
前記第２当接部は、前記第１の移動方向に対して傾斜して形成された斜面部を有し、前記第２リンク部材が前記第１の移動方向とは逆方向に移動するときに前記斜面部が前記被案内軸に接触して前記被案内軸を前記案内部材の前記保持部から移動させる、
ことを特徴とする。
【００１０】
請求項４記載の発明は、請求項２または３に記載の画像形成装置において、
前記被案内軸を第２リンク部材の前記第１当接部から離れさせ前記案内部材の前記保持部へ移動させるように付勢する付勢部材を更に備えた、
ことを特徴とする。
【００１１】
請求項５記載の発明は、請求項２ないし４のいずれか１項に記載の画像形成装置において、
前記保持部材は、前記第１の移動方向と交差する両側面に前記保持部材の移動軌跡に倣った案内ガイドを有する、
ことを特徴とする。
【００１２】
請求項６記載の発明は、請求項１ないし５にいずれか１項に記載の画像形成装置において、
前記保持部材は、前記露光位置で前記露光装置を前記像保持体に向けて押圧する押圧部材を有する、
ことを特徴とする。
【００１３】
請求項７記載の発明は、請求項１ないし６のいずれか１項に記載の画像形成装置において、
前記像保持体が、前記開閉部材により開閉される装置本体の前記開口部から装置本体に対して着脱される、
ことを特徴とする。
【発明の効果】
【００１４】
請求項１に記載の発明によれば、移動部材とこれを案内する案内部材を備えない構成に比して、開閉部材の変形を抑制するとともに、露光装置を安定して位置決めすることができる。
請求項２に記載の発明によれば、移動部材が当接部を備えない構成に比して、露光装置を容易に移動させることができる。
請求項３に記載の発明によれば、移動部材の当接部が斜面部を備えない構成に比して、移動部材の保持を解除して露光装置を容易に移動させることができる。
請求項４に記載の発明によれば、保持部材の移動軌跡に倣った案内ガイドを備えない構成に比して、露光装置と像保持体の干渉を抑制することができる。
請求項５に記載の発明によれば、付勢部材を備えない構成に比して、露光装置を確実に位置決めすることができる。
請求項６に記載の発明によれば、押圧部材を備えない構成に比して、露光装置を安定して位置決めすることができる。
請求項７に記載の発明によれば、像保持体を装置本体に対して容易に着脱することができる。
【図面の簡単な説明】
【００１５】
【図１】画像形成装置１の内部構成を示す縦断面模式図である。
【図２】露光装置５０を保持した保持部材５１の全体構成を示す斜視図である。
【図３】退避機構８０で連結された露光装置５０を保持した保持部材５１と開閉カバー９０の位置関係を示す斜視図である。
【図４】装置本体に取り付けられた露光装置５０を保持した保持部材５１、退避機構８０、開閉カバー９０の位置関係を示す斜視図である。
【図５】露光位置における露光装置５０、感光体ユニット３０、現像装置４０、退避機構８０、開閉カバー９０の位置関係を示す断面模式図である。
【図６】退避位置における露光装置５０、感光体ユニット３０、現像装置４０、退避機構８０、開閉カバー９０の位置関係を示す断面模式図である。
【図７】（ａ）は開閉カバー９０が開放された状態における退避機構８０の位置を示す断面模式図、（ｂ）は開閉カバー９０の閉操作が開始された状態における退避機構８０の位置を示す断面模式図である。
【図８】（ａ）は保持部材５１が案内部材１１０に案内されて露光位置へ移動する途中を示す断面模式図、（ｂ）は保持部材５１が案内部材１１０に案内されて露光位置へ移動して保持部１１２に保持される直前の状態を示す断面模式図、（ｃ）は保持部材５１が案内部材１１０の保持部１１２で保持された状態を示す断面模式図である。
【図９】開閉カバー９０の開操作が開始されたときの退避機構８０の位置を示す断面模式図である。
【発明を実施するための形態】
【００１６】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１７】
（１）画像形成装置の全体構成及び動作
図１は本実施形態に係る画像形成装置１の内部構成を示す縦断面模式図である。
以下、図面を参照しながら、画像形成装置１の全体構成及び動作を説明する。
【００１８】
画像形成装置１は、制御装置１０、用紙搬送装置２０、感光体ユニット３０、現像装置４０、露光装置５０、転写装置６０、定着装置７０、退避機構８０を備えて構成されている。
画像形成装置１の前面には、消耗品等を交換する場合に、画像形成装置１内部を前方（−Ｘ方向）へ開放する開閉部材の一例としての開閉カバー９０が回転可能に支持されている。
画像形成装置１の後面には、紙詰まりや内部の点検等をする場合に、画像形成装置１内部を開放する後カバー１ｂが回転可能に支持されている。
画像形成装置１の上面（Ｚ方向）には、画像が記録された用紙が排出・収容される排出トレイを兼ねた上カバー１ｃが形成されている。
【００１９】
制御装置１０は、画像形成装置１の動作を制御する画像形成装置制御部１１と、印刷処理要求に応じた画像データを準備するコントローラ部１２、露光装置５０の光源の点灯を制御する露光制御部１３、電源装置１４等を有する。電源装置１４は、後述する帯電ローラ３２、現像ローラ４２、給電ローラ６３等に電圧を印加するとともに、露光装置５０に電力を供給する。
【００２０】
コントローラ部１２は、画像読み取り装置（不図示）から入力される画像データや外部の情報送信装置（例えばパーソナルコンピュータ等）から入力された印刷情報を潜像形成用の画像情報に変換して予め設定されたタイミングで、駆動信号を露光制御部１３に出力する。
【００２１】
画像形成装置１の底部には、用紙搬送装置２０が設けられている。用紙搬送装置２０は、用紙カセット２１を備え、用紙カセット２１の上面には多数の記録媒体としての用紙Ｐが積載され、規制板（不図示）で幅方向位置が決められた用紙Ｐは、上側から１枚ずつ用紙引き出し部２２により後方（Ｘ方向）に引き出された後、レジストローラ対２３の接触部まで搬送される。
【００２２】
感光体ユニット３０は、用紙搬送装置２０の上方に設けられ、ユニットハウジング３５内に回転駆動する感光体ドラム３１を備えている。感光体ドラム３１の回転方向にそって、帯電ローラ３２、現像装置４０、転写ローラ６２、クリーニングブレード３４が配置されている。帯電ローラ３２には、帯電ローラ３２の表面をクリーニングするクリーニングローラ３３が対向、接触して配置されている。
【００２３】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制ロール４６が近接配置されている。
【００２４】
露光装置５０は、複数の発光素子（ＬＥＤ：Light  Emitting  Diode）が主走査方向に沿って線状に配列されたＬＥＤヘッドにより構成され、形成される画像データに応じて変調された光で感光体ドラム３１の表面を露光する。
露光装置５０は、開閉カバー９０の開閉動作で、保持部材５１に保持された状態で退避機構８０を介して、感光体ドラム３１を露光する露光位置と感光体ドラム３１から離間した退避位置との間で装置本体に対して移動する。
【００２５】
回転する感光体ドラム３１の表面は、帯電ローラ３２により帯電され、露光装置５０により静電潜像が形成される。感光体ドラム３１上に形成された静電潜像は現像ローラ４２によりトナー像として現像される。
【００２６】
転写装置６０は、転写ローラ６２を感光体ドラム３１に切離可能に支持する後カバー１ｂと、感光体ドラム３１とニップを形成する転写ローラ６２とから構成されている。転写ローラ６２には、画像形成装置制御部１１により制御される電源装置１４から転写電圧が印加され、感光体ドラム３１と転写ローラ６２間を通過する用紙Ｐに感光体ドラム３１上のトナー像を転写する。
【００２７】
感光体ドラム３１表面の残留トナーは、クリーニングブレード３４により除去され、感光体ドラム３１を支持するユニットハウジング３５内に回収される。その後、感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３の表面に捕捉され、一時蓄積される。
【００２８】
定着装置７０は一対の加熱モジュール７１と加圧モジュール７２を有し、加熱モジュール７１と加圧モジュール７２の圧接領域によって定着ニップ部（定着領域）が形成される。
転写ローラ６２によってトナー像が転写された用紙Ｐは、トナー像が未定着の状態で搬送ガイド６４を経由して定着装置７０に搬送される。定着装置７０に搬送された用紙Ｐは、一対の加熱モジュール７１と加圧モジュール７２により、圧着と加熱の作用でトナー像が定着される。定着トナー像が形成された用紙Ｐは、排出ローラ対７４から画像形成装置１上面の上カバー１ｃに排出される。
【００２９】
（２）退避機構
図２は露光装置５０を保持した保持部材５１の全体構成を示す斜視図、図３は退避機構８０で連結された露光装置５０を保持した保持部材５１と開閉カバー９０の位置関係を示す斜視図、図４は装置本体に取り付けられた露光装置５０を保持した保持部材５１、退避機構８０、開閉カバー９０の位置関係を示す斜視図、図５は露光位置における露光装置５０、感光体ユニット３０、現像装置４０、退避機構８０、開閉カバー９０の位置関係を示す断面模式図、図６は退避位置における露光装置５０、感光体ユニット３０、現像装置４０、退避機構８０、開閉カバー９０の位置関係を示す断面模式図である。
以下、図面を参照しながら、露光装置５０の退避動作と感光体ユニット３０及び現像装置４０の装置本体に対する着脱操作について説明する。
【００３０】
露光装置５０は、保持部材５１に保持され、開閉カバー９０の開閉動作によって、感光体ドラム３１を露光する露光位置と感光体ドラム３１から離間した退避位置との間で装置本体に対して移動する。
露光装置５０は、露光位置（図５参照）では、感光体ユニット３０と現像装置４０との間で感光体ドラム３１に定められた間隙を有して位置決めされ、退避位置（図６参照）では、感光体ドラム３１から離間して、感光体ユニット３０及び現像装置４０の着脱操作の移動軌跡（図６に破線で図示）に干渉しない状態で保持される。
【００３１】
（２．１）保持部材
保持部材５１は、露光装置５０を支持するとともに、先端部に露光位置で露光装置５０を感光体ドラム３１に向けて押圧する押圧部材としての圧縮コイルスプリング５２（図５参照）を有し、露光位置で露光装置５０を感光体ドラム３１に定められた間隙を有して位置決めする。
【００３２】
保持部材５１の他端側には、保持部材５１の移動方向と交差する方向に保持部材５１の本体を貫通して両側に突出したガイド軸５３が設けられている。保持部材５１は、ガイド軸５３が後述する退避機構８０に連結され、退避機構８０の移動に伴って案内部材１１０に案内されて（Ｘ方向）露光位置と退避位置の間で移動する。
【００３３】
保持部材５１の移動方向と交差する両側面には保持部材５１の移動軌跡に倣った案内ガイド５４が形成され、保持部材５１に保持された露光装置５０が感光体ユニット３０と現像装置４０との間の間隙を移動するように案内する。
【００３４】
（２．２）退避機構
退避機構８０は、一端の軸部８１ａが開閉カバー９０に回転可能に支持された移動部材の一方を構成する第１リンク部材８１と、一端が第１リンク部材８１の他端の軸部８１ｂと移動可能に連結され保持部材５１を移動させる移動部材の他方を構成する第２リンク部材８２と、保持部材５１の移動を案内し、露光位置で保持部材５１を保持する案内部材１１０とから構成されている。
【００３５】
（２．２．１）第１リンク部材
第１リンク部材８１は、一方向に伸びる腕部の両端側に軸部８１ａ、８１ｂが突出して形成され、一端側の軸部８１ａは、開閉カバー９０の内面側で連結部９２に回転支持されている。他端の軸部８１ｂは、第２リンク部材８２の溝部８２Ａに移動可能に連結されている。
【００３６】
（２．２．２）第２リンク部材
第２リンク部材８２は、一方向に伸びる腕部の一端側には溝部８２Ａが厚み方向に貫通して長穴形状に形成され、腕部の中央部には鍵型形状の当接部８２Ｂが厚み方向に貫通して形成されている。
【００３７】
溝部８２Ａには第１リンク部材８１の軸部８１ｂが連結されている。第２リンク部材８２は、溝部８２Ａの長穴の範囲では、第１リンク部材８１の軸部８１ｂの移動を許容して移動せず、第１リンク部材８１の軸部８１ｂが溝部８２Ａの両端８２Ａａ、８２Ａｂに接触した場合に、開閉カバー９０の回転移動に伴って移動する。
【００３８】
当接部８２Ｂは、開閉カバー９０を閉じるときに保持部材５１のガイド軸５３に当接して、保持部材５１を退避位置から露光位置へ移動させる第１の移動方向に押圧する第１当接部８２Ｂａと、開閉カバー９０を開くときにガイド軸５３に当接して、保持部材５１を第１の移動方向とは逆方向に押圧する第２当接部８２Ｂｂからなる。
【００３９】
第２当接部８２Ｂｂは、第１の移動方向に対して傾斜して形成された斜面部８２Ｂｃを有し、第２リンク部材８２が第１の移動方向とは逆方向に移動するときに斜面部８２Ｂｃがガイド軸５３に接触してガイド軸５３を案内部材１１０の保持部１１２から押し上げて離れさせる。
【００４０】
（２．２．３）案内部材
案内部材１１０は、筐体１００に固定され、保持部材５１のガイド軸５３の移動を案内する案内面１１１と、案内面１１１の一端側に形成され退避位置でガイド軸５３と当接する壁部１１１ａと、案内面１１１の他端側に形成され露光位置で保持部材５１のガイド軸５３を保持する凹状の保持部１１２と、第２リンク部材８２の移動を案内する案内面１１３を有している。
【００４１】
保持部材５１のガイド軸５３は、開閉カバー９０を閉じるときに第２リンク部材８２の第１当接部８２Ｂａに押圧されて案内面１１１を摺動しながら移動し、案内面１１１の終端１１１ｂで第２リンク部材８２から離れて凹状の保持部１１２に嵌り合う。
【００４２】
（２．２．４）付勢部材
付勢部材８３は、金属製のワイヤからなるトーションスプリングであり、円形状に複数回巻かれた巻付部８３Ａと、固定部８３Ｂと、自由端を有する腕部８３Ｃからなる。
付勢部材８３は、固定部８３Ｂが筐体１００に固定された状態で、保持部材５１が露光位置に移動した際に、腕部８３Ｃの自由端が保持部材５１のガイド軸５３に接触してガイド軸５３を第２リンク部材８２の第１当接部８２Ｂａから離れさせ案内部材１１０の保持部１１２へ移動させるように付勢する。
【００４３】
（３）感光体ユニットの着脱操作
図７（ａ）は開閉カバー９０が開放された状態における退避機構８０の位置を示す断面模式図、（ｂ）は開閉カバー９０の閉操作が開始された状態における退避機構８０の位置を示す断面模式図、図８（ａ）は保持部材５１が案内部材１１０に案内されて露光位置へ移動する途中を示す断面模式図、（ｂ）は保持部材５１が案内部材１１０に案内されて露光位置へ移動して保持部１１２に保持される直前の状態を示す断面模式図、（ｃ）は保持部材５１が案内部材１１０の保持部１１２で保持された状態を示す断面模式図、図９は開閉カバー９０の開操作が開始されたときの退避機構８０の位置を示す断面模式図である。
以下、図面を参照しながら露光装置５０の退避動作について説明する。
【００４４】
（３．１）感光体ユニットの装着
感光体ユニット３０及び現像装置４０は、露光装置５０が感光体ユニット３０から離間して感光体ユニット３０及び現像装置４０の着脱操作の移動軌跡に干渉しない退避位置に移動している状態（図６参照）で、装置本体の開口部から案内レール（不図示）に沿って着脱操作される。
【００４５】
図７（ａ）に示すように、開閉カバー９０を回転操作して装置本体の開口部を解放した状態では、第２リンク部材８２は、開閉カバー９０と連結された第１リンク部材８１の軸部８１ｂが溝部８２Ａの一端８２Ａａに接触して露光装置５０が感光体ユニット３０の着脱操作の移動軌跡に干渉しない退避位置に位置している。係る状態で、感光体ユニット３０及び現像装置４０を案内レール（不図示）に沿って装着操作する。
【００４６】
そして、図７（ｂ）に示すように、装置本体の開口部を塞ぐように開閉カバー９０を回転操作（図中  矢印Ｒ１参照）すると、第１リンク部材８１が、第２リンク部材８２の溝部８２Ａ内を他端８２Ａｂに接触するまで移動する。
そして、第２リンク部材８２は、第１当接部８２Ｂａで保持部材５１のガイド軸５３を押圧しながら案内部材１１０の案内面１１３に案内されて水平方向（Ｘ方向：図中  矢印Ｒ２参照）に移動を開始する。
【００４７】
第２リンク部材８２が、水平方向（Ｘ方向）に移動を開始すると、保持部材５１はガイド軸５３が案内部材１１０の案内面１１１に沿って第１当接部８２Ｂａで押圧されながら水平方向（Ｘ方向）に移動する（図８（ａ）矢印Ｒ２参照）。
【００４８】
更に、装置本体の開口部を塞ぐように開閉カバー９０を回転操作すると、ガイド軸５３は第１当接部８２Ｂａで押圧されながら案内部材１１０の案内面１１１の終端１１１ｂに位置するまで水平方向（Ｘ方向）に移動する（図８（ｂ）参照）。
この状態で、開閉カバー９０を閉じると、ガイド軸５３は付勢部材８３の付勢力を受けて、案内部材１１０の保持部１１２に嵌まり込み保持部材５１は露光位置で保持された状態となる（図８（ｃ）参照）。
【００４９】
保持部材５１に保持された露光装置５０は、圧縮コイルスプリング５２（図５中に図示）で感光体ドラム３１に近接するように付勢された状態で露光位置に位置する（図５参照）。
【００５０】
露光位置では、露光装置５０を保持した保持部材５１が案内部材１１０の保持部１１２で保持され、保持部材５１のガイド軸５３は第２リンク部材８２の第１当接部８２Ｂａとは非接触状態となる。
その結果、露光装置５０を感光体ドラム３１に向けて押圧する圧縮コイルスプリング５２の反力は案内部材１１０の保持部１１２で受け、第１リンク部材８１を介して第２リンク部材８２と連結された開閉カバー９０の内面が受けることがない。
そのために、露光装置５０が装置本体内の露光位置で保持された状態で開閉カバー９０の変形を抑制することができる。
【００５１】
露光位置では、開閉カバー９０が、例えば、装置本体への係合ガタによって開き気味になった場合であっても、開閉カバー９０と露光装置５０の保持部材５１を連結している退避機構８０の第１リンク部材８１は第２リンク部材８２の溝部８２Ａの長穴の範囲内で移動可能で、案内部材１１０の保持部１１２で保持された保持部材５１に及ぶことがない。
【００５２】
（３．１）プロセスユニットの脱着
開閉カバー９０の開動作（図中  矢印Ｒ３参照）を開始すると、第１リンク部材８１が開閉カバー９０の回転移動に伴って第２リンク部材８２の溝部８２Ａの長穴の範囲内で移動して、一端８２Ａｂに接触すると、第２リンク部材８２が露光位置から退避位置へ移動を開始する。
【００５３】
そして、第２リンク部材８２が移動を開始すると、図９に示すように、第２当接部８２Ｂｂに形成された斜面部８２Ｂｃがガイド軸５３に接触してガイド軸５３を案内部材１１０の保持部１１２から上方（Ｚ方向）に押し上げて（図中  矢印Ｒ４参照）ガイド軸５３は保持部１１２から離れる。
【００５４】
開閉カバー９０を更に回転させると、ガイド軸５３は案内部材１１０の案内面１１１の一端に形成された壁部１１１ａ（図４  参照）に当接してそれ以上の水平移動が規制され、露光装置５０は感光体ユニット３０及び現像装置４０の着脱操作の移動軌跡に干渉しない退避位置に位置する。
【符号の説明】
【００５５】
１・・・画像形成装置
１０・・・制御装置
２０・・・給紙装置
３０・・・感光体ユニット
３１・・・感光体ドラム
４０・・・現像装置
５０・・・露光装置
５１・・・保持部材
５２・・・圧縮コイルスプリング
６０・・・転写装置
７０・・・定着装置
８０・・・退避機構
８１・・・第１リンク部材（移動部材）
８１ａ、８１ｂ・・・軸部
８２・・・第２リンク部材（移動部材）
８２Ａ・・・溝部
８２Ｂ・・・当接部
８２Ｂａ・・・第１当接部
８２Ｂｂ・・・第２当接部
８２Ｂｃ・・・斜面部
８３・・・付勢部材（トーションスプリング）
９０・・・開閉カバー
１００・・・筐体
１１０・・・案内部材
【図１】
0006600986.tif 000002
【図２】
0006600986.tif 000003
【図３】
0006600986.tif 000004
【図４】
0006600986.tif 000005
【図５】
0006600986.tif 000006
【図６】
0006600986.tif 000007
【図７】
0006600986.tif 000008
【図８】
0006600986.tif 000009
【図９】
0006600986.tif 000010